(57)【要約】【課題】軒樋に大きな外力が加わったとしても、軒樋を脱落させることなく確実且つ安定的に支持することができるように軒樋支持具を構成する。【解決手段】軒樋（１）の前後耳部（１２、１３）が係合する係合部（２３、２４）を支持腕部（２２）の先端部側と根元部側にそれぞれ設け、固定板部（２１）の前面と交差して張り出した支持腕部（２２）を付け根部として可撓性を有する舌片（２５）を下方へ突出させるとともに、この舌片（２５）を、軒樋（１）の後耳部（１３）を後係合部（２４）に係合させたときに当該後耳部（１３）と舌片（２５）の側端部とが対向するように配置して軒樋支持具（１）を構成する。【選択図】図１
2007332653.tif 000002
【特許請求の範囲】
【請求項１】
軒先（３）に取り付けられる固定板部（２１）から支持腕部（２２）が突出し、支持腕部（２２）の先端部側に軒樋（１）の前耳部（１２）が係合する前係合部（２３）、根元部側に軒樋（１）の後耳部（１３）が係合する後係合部（２４）を有する軒樋支持具（１）において、
固定板部（２１）の前面と交差して張り出した支持腕部（２２）を付け根部として可撓性を有する舌片（２５）を下方へ突出させるとともに、この舌片（２５）を、軒樋（１）の後耳部（１３）を後係合部（２４）に係合させたときに当該後耳部（１３）と舌片（２５）の側端部とが対向するように配置した構成を有することを特徴とする軒樋支持具。
【発明の詳細な説明】
【技術分野】
【０００１】
本発明は、断面略U字形をなす樋本体の前側上端に前耳部、後側上端に後耳部を設けてなる軒樋を軒先に沿って支持する軒樋支持具（以下、支持具という）に関する。
【背景技術】
【０００２】
軒先への軒樋の取り付けを簡易な操作で行えるようにした従来の支持具６１として、図６（Ａ）に示されるように、軒先に取り付けられる固定板部６１ａから支持腕部６１ｂを突出させ、支持腕部６１ｂの先端に軒樋６２の前耳部６２ａが係合する凹部６１ｃを設け、支持腕部６１ｂの根元部側に固定板部６１ａ側へ突出した凸部６１ｄと薄肉にして可撓性を与えた舌片６１ｅとを設け、舌片６１ｅの上面に軒樋６２の後耳部６２ｂを係合させて軒樋６２を支持する構成のものが知られている（例えば特許文献１参照）。
また、同図（Ｂ）に示されるように、支持腕部６１ａの根元部側に凸部６１ｄを設けるとともに、これと対向する固定板部６１ａに薄肉の舌片６１ｅを設け、軒樋６２の後耳部６２ｂを凸部６１ｄの上面に係合させて軒樋６２を支持する構成のものが知られている（例えば特許文献２参照）。
【０００３】
【特許文献１】特開２００２−３５６９６４号公報
【特許文献２】特開２００３−４１７２２号公報
【発明の開示】
【発明が解決しようとする課題】
【０００４】
従来の支持具６１のうち、前者のものは、軒樋６２の後耳部６２ｂが、先端を下方へ撓（しな）らせた舌片６１ｅの上面で支持され、また、軒樋６２を支持した状態で後耳部６２ｂと固定板部６１ａの間は空隙部となっていることから、軒樋６２が強風を受けたときに、後耳部６２ｂと舌片６１ｅとの当接部分がガタつくことがあり、また、屋根から軒樋６２内に雪塊が流れ落ち、軒樋６２に大きな下向きの荷重がかかったときに、舌片６２１ｅの先端がさらに撓って、軒樋６２の後耳部６２ｂが舌片６１ｅから脱落してしまうことがあった。
また、後者のものは、軒樋６２の後耳部６２ｂが水平な凸部６１ｄの上面に係合して安定的に支持されるので、軒樋６２がガタつくことはないものの、前記と同様に、雪塊の落下などによって軒樋６２に大きな下向きの荷重がかかると、これに伴い凸部６１ｄ上で後耳部６２ｂが後方へずれて、後耳部６２ｂの背面に舌片６１ｅが当接し、後耳部６２ｂからの押圧力を受けて舌片６１ｅ全体がその付け根部分から下方へ撓って凸部６１ｄとの間に大きな隙間を生じさせ、この隙間から後耳部６２ｂを脱落させてしまう虞れがあった。
【０００５】
本発明は従来技術の有するこのような問題点に鑑み、簡易な操作で軒樋を取り付けることができるとともに、強風を受けたり雪塊が流れ落ちたりするなどして軒樋に大きな外力が加わったとしても、軒樋を脱落させることなく、確実且つ安定的に支持することができるように支持具を構成することを課題とする。
【課題を解決するための手段】
【０００６】
前記課題を解決するため本発明は、軒先に取り付けられる固定板部から支持腕部が突出し、支持腕部の先端部側に軒樋の前耳部が係合する前係合部、根元部側に軒樋の後耳部が係合する後係合部を有する支持具において、固定板部の前面と交差して張り出した支持腕部を付け根部として可撓性を有する舌片を下方へ突出させるとともに、この舌片を、軒樋の後耳部を後係合部に係合させたときに当該後耳部と舌片側端部とが対向するように配置した構成を有することを特徴とする。
【０００７】
これによれば、支持具への軒樋の取り付けは、軒先に固定された支持具の下方で軒樋を手で支え、先ず軒樋の前耳部を前係合部に係合させ、次いで前耳部の係合箇所を支点として軒樋の後側を上方へ回転させながら持ち上げ、後耳部の上端で舌片の先端を押し上げて、後係合部に後耳部を係合させることにより行われる。軒樋の後側を回転させて後耳部の上端が舌片に当接すると、舌片は後耳部から上向きの力を受けて、その付け根部を軸にして先端が上方へ捲れ上がり、これにより後係合部と舌片との間に後耳部が通過可能な幅の隙間ができ、この隙間から上方へ押し入った後耳部を後係合部に係合させることができる。後耳部が係合すると、舌片は自身の弾性によって元の形状に戻り、舌片はその側端部が後耳部に対向する位置に配される。
支持具に軒樋を支持させた状態で軒樋に下向きの外力がかかった場合、下向きの外力によって後係合部に係合していた後耳部が舌片側へ位置をずらそうとするが、これと対向する舌片の側端部が後耳部に当接して後耳部を保持し、後耳部が後係合部から脱落することを防止する。後耳部が舌片に当接したときに後耳部を介して舌片に力がかかるが、舌片は固定板部の前面と交差する方向に張り出しており、後耳部からかかる力は舌片付け根部の軸方向と平行な向きとなるため、後耳部から力を受けても舌片が撓ることはなく、舌片はその側端部で後耳部を確実に支持して後係合部から脱落するのを防止する。
【０００８】
前記構成において、軒樋の前耳部が係合する前係合部と後耳部が係合する後係合部は、それぞれ軒樋の前後耳部の形状に応じ、それぞれの耳部が係合する凹形状や凸形状、或いは凹凸形状に形成することができる。また、後耳部が係合する後係合部は、支持腕部の側に設けても固定板部の側に設けてもよい。要は、前係合部は軒樋の前耳部が係合し、軒樋を支持具に装着する際に前耳部の係合箇所を支点として軒樋の後側を回転させて後耳部を後係合部に係合操作することが可能な形状、後係合部は軒樋の後耳部が係合し、軒樋を支持具に装着する際に上方へ押し上げられる軒樋の後耳部を受け入れて係合操作することが可能な形状であればよい。なお、前後係合部間の配置寸法は、支持する軒樋の前後耳部間の寸法に対応させて、前後耳部を確実且つ安定的に係合させることのできる大きさに設定される。
【０００９】
舌片は、可撓性、すなわち外力を受けて適度に撓み、外力がなくなると自身の弾性によって元の形状に戻る性状を与えて設けられ、その付け根部を、支持腕部の下部に沿い、且つ固定板部の前面と交差する方向に延びた向きに配置し、また、付け根部から下方へ突出した先端の側端部が、後係合部に係合した軒樋の後耳部と近接して対向する位置に設けられる。可撓性は、例えば支持具をプラスチック樹脂により一体成形する場合、舌片を薄肉に形成することにより与えることができ、また、弾性材を用いて舌片を支持具の他の部位とは別体に形成し、後加工によって一体に取り付けてもよい。
舌片は、後係合部を固定板部と対面する支持腕部の根元部に設けた場合、固定板部と後係合部の間の支持腕部の下部に設けられ、また、後係合部を固定板部に設けた場合には、後係合部と対面する部位の支持腕部の下部に設けられる。
【００１０】
支持具は、例えばポリカーボネート、塩化ビニル、ポリプロピレンなどの合成樹脂材料やゴム分を含む樹脂材料を用い、射出成型などによって一体に形成することが可能である。支持具の各部又は一部を別体に形成し、後加工によって一体に形成してもよい。
【発明を実施するための最良の形態】
【００１１】
本発明の好適な実施の形態を図面を参照して説明する。
図１は軒先に本発明の支持具を取り付け、これに軒樋を取り付けた状態の支持具の側面図、図２は図１の支持具の下方斜視図、図３は図１の支持具を正面から見て舌片の配置位置と撓る状態を説明するための図、図４は図１の支持具に軒樋を取り付ける操作手順を示した図、図５は他の形態の支持具に軒樋を取り付けた状態の側面図である。各図において、符号１は軒樋、２は支持具、３は軒樋１が取り付けられる軒先の躯体面をそれぞれ示している。
【００１２】
図1〜図４は、軒先３に沿って軒樋１を支持する支持具２の一実施形態を示しており、図示されるように、支持具２で支持する軒樋１は、断面略U字形をなす樋本体１１の前側上端に樋本体１１の壁面上縁を内側へ略U字形に折り返し且つ縁部を樋内方へ屈曲させてなる前耳部１２、後側上端に樋本体１１の壁面上縁を略三角断面の筒形となし且つ当該筒形を樋内方へ張り出させてなる後耳部１３をそれぞれ設けて長尺に形成してある。
【００１３】
支持具２は、ビスなどの固着具で軒先３に固定される固定板部２１の前面から支持腕部２２を前方へ突出させるとともに、支持腕部２２の先端部に軒樋１の前耳部１２が係合する前係合部２３、支持腕部２２の根元部下側に軒樋１の後耳部１３が係合する後係合部２４をそれぞれ設け、さらに固定板部２１の前面と交差して張り出した支持腕部２２の下部両側に、下方へ適宜な長さで張り出した可撓性を有する舌片２５、２５を一体に設けて形成してある。
【００１４】
より詳しくは、支持腕部２２は固定板部２１の前面と直交して前方に適宜な長さで突出させてあり、その先端部側に設けた前係合部２３は、上方へ湾曲させながら反らした先端の突片２３ａと上方に開口した凹部２３ｂとで、前記前耳部１２を突片２３ａに掛止して係合し支持し得るように設け、また、根元部側に設けた後係合部２４は、支持腕部２２の根元部近傍の下面から分岐して固定板部２１に向けて延びた突片２４ａと当該突片の上方の凹部２４ｂとで前記後耳部１３を突片２４ａ上に載せて係合し支持し得るように設けてある。
【００１５】
両舌片２５は、その付け根部を前記突片２４ａを下方に臨む支持腕部２２の下部に沿わせて支持腕部２２と平行に、固定板部２１の前面から突片２４ａの直上近くに達する幅に設け、付け根部から若干側方へ張り出た部分２５ｂを介してその先端２５ａを斜め下方へ突出させてある。両舌片２５の長さは、図１に示されるように、軒樋１の後耳部１３を突片２４ａに係合させたときに後耳部１３と舌片２５の側端部とが近接して対向する長さに設定してあり、また、その先端は後係合部２４から固定板部２１に向けて下り傾斜させてある。
両舌片２５は、薄肉にして可撓性を付与してあり、図３（Ａ）に示されるように、外力がかかっていない状態では支持腕部２２の下部両側で下方に張り出しているが、上向きの外力がかかると、同図（Ｂ）に示されるように、その付け根部側を軸にして先端が上方へ大きく撓り、上向きの外力がなくなると、自身の弾性によって元の形状に戻るように設けてある。
【００１６】
このように形成された本形態の支持具２への軒樋１の取り付けは、予め軒先３に沿って複数の支持具２を取り付け、これらの支持具２間に以下の手順で軒樋１を架け渡し、各支持具２に装着することにより行われる。
先ず、軒先３に固定された支持具２の下方で軒樋１を手で支え、図４（Ａ）に示されるように、軒樋１の前耳部１２を支持腕部２２の先端に被せて前係合部２３に係合させる。
次いで前耳部１２の係合箇所を支点として、軒樋１の後側を後方へ膨らませながら上方へ回転させて持ち上げ、同図（Ｂ）に示されるように、後耳部１３の上端を舌片２５の先端に当接させて上方へ押し上げる。このとき、舌片２５は、後耳部１３の上端で上方へ押されて全体が上方へ撓り、これにより舌片２５と突片２４ａとの間に後耳部１３が通過可能な幅の隙間が生じる。
そして、突片２４ａと舌片２５の間に割り入った後耳部１３が突片２４ａを超えて押し上げられた位置で、同図（Ｃ）に示されるように、後耳部１３が突片２４ａの上面に載って係合し、これにより、軒樋１はその前後耳部１２、１３をそれぞれ前後係合部２３、２４に係合させて支持具２で支持され、軒先３に沿って取り付けられる。後耳部１３が突片２４ａに係合すると、上方へ捲れ上がっていた舌片２５は元の形状に戻り、舌片２５はその側端部を後耳部１３の後方に近接させて、後耳部１３に対向した位置に配される。
【００１７】
軒先３に沿って取り付けられた軒樋１が、強風を受けるなどして下向きの外力を受けた場合、当該外力により突片２４ａに載った後耳部１３が後方へ係合位置をずらすが、このとき、後耳部１３に舌片２５の側端部が当接して後耳部１３を支持し、後耳部１３を突片２４ａ上に保持して脱落を防止する。この場合に、舌片２５にも後耳部１３を介して外力が加わるが、後耳部１３から加わる外力は、舌片２５の付け根部の軸方向と平行な向きであるため、後耳部１３から力を受けても舌片２５が撓ることはなく、舌片２５は後耳部１３と対向した近接位置に保持されて、後耳部１３を確実に支持することができる。
【００１８】
図５は本発明の支持具２の他の形態を示しており、同図（Ａ）は、固定板部２１と後係合部２４を構成する突片２４ａとの間隔を大きく設けるとともに、固定板部２１の前面から突片２４ａの直上近くに達する舌片２５の付け根部の幅を前記形態よりも大きく設けたものである。
また、同図（Ｂ）は、後耳部１３が樋外方に突出した形状の軒樋１の支持に対応させたものであり、後耳部１３を支持する凹状の後係合部２４を、支持腕部２２の根元部直下の固定片部２１の前面に設け、これと対向する支持腕部２２の下部に沿って舌片２５を設け、舌片２５の後方の側端部が、後係合部２４に係合した後耳部１３前方の近接位置で対向するように設けたものである。
【００１９】
なお、図示した軒樋及び支持具の形態は一例であり、本発明は図示した形態に限定されず、他の適宜な形態に構成可能である。
【図面の簡単な説明】
【００２０】
【図１】本発明の一例の軒樋支持具を軒先に取り付け、これに軒樋を取り付けた状態の支持具の側面図である。
【図２】図１の軒樋支持具の下方斜視図である。
【図３】図１の支持具を正面から見て舌片の配置位置（Ａ）と撓る状態（Ｂ）を説明するための図である。
【図４】（Ａ）〜（Ｃ）は図１の支持具に軒樋を取り付ける操作手順を示した図である。
【図５】（Ａ）、（Ｂ）は本発明の他の形態の支持具に軒樋を取り付けた状態の側面図である。
【図６】（Ａ）、（Ｂ）は従来形態の軒樋支持具に軒樋を取り付けた状態の側面図である。
【符号の説明】
【００２１】
１  軒樋、１１  樋本体、１２  前耳部、１３  後耳部、２  軒樋支持具、２１  固定板部、２２  支持腕部、２３  前係合部、２４  後係合部、２５  舌片、３  軒先
【図１】
2007332653.tif 000003
【図２】
2007332653.tif 000004
【図３】
2007332653.tif 000005
【図４】
2007332653.tif 000006
【図５】
2007332653.tif 000007
【図６】
2007332653.tif 000008